(57)【要約】【課題】蓄電池モジュールが所定の向きとは異なる向きで筐体に組み込まれるのを防止できる蓄電池装置を提供する。【解決手段】蓄電池装置10は、複数の蓄電池モジュール11、筐体13および誤組防止構造33を備える。蓄電池モジュール11は、蓄電池本体20、および蓄電池本体20の上面の一側にずれた位置に設けられた端子台22を備え、端子台22の位置に応じた向きを有する。筐体13は、開口部61が設けられた本体部60を有し、開口部61から本体部60内に蓄電池モジュール11が所定の向きで挿入されて組み込まれる。誤組防止構造33は、蓄電池モジュール11が所定の向きとは異なる向きで筐体13に組み込まれるのを防止する。【選択図】図１
2019149357.tif 000002
【特許請求の範囲】
【請求項１】
蓄電池本体、およびこの蓄電池本体の上面の一側にずれた位置に設けられた端子台を備え、前記端子台の位置に応じた向きを有する複数の蓄電池モジュールと；
開口部が設けられた本体部を有し、前記開口部から前記本体部内に前記蓄電池モジュールが所定の向きで挿入されて組み込まれる筐体と；
前記蓄電池モジュールが所定の向きとは異なる向きで前記筐体に組み込まれるのを防止する誤組防止構造と；
を具備することを特徴とする蓄電池装置。
【請求項２】
前記誤組防止構造は、前記蓄電池モジュールが所定の向きで前記本体部に挿入されるのを可能とし、前記蓄電池モジュールが所定の向きとは異なる向きで前記本体部に挿入されるのを規制する
ことを特徴とする請求項１記載の蓄電池装置。
【請求項３】
前記誤組防止構造は、前記蓄電池モジュールが所定の向きで前記本体部に挿入される場合に所定の組込み位置まで挿入可能とし、前記蓄電池モジュールが所定の向きとは異なる向きで前記本体部に挿入される場合に所定の組込み位置まで挿入不可とする
ことを特徴とする請求項１記載の蓄電池装置。
【請求項４】
前記筐体は、前記本体部内の一方向に２列の前記蓄電池モジュールが挿入されて組み込まれるとともに、前記本体部の前記開口部が上向きとなる縦置きと前記本体部の一方向の一側面が上方に向いて前記本体部の前記開口部が横向きとなる横置きとのいずれでも設置可能とし、
前記誤組防止構造は、
前記筐体の縦置き時に、前記蓄電池本体の前記端子台が前記本体部内の一方向外向きとなる所定の向きで前記本体部に挿入される場合に所定の組込み位置まで挿入可能とし、前記蓄電池本体の前記端子台が前記本体部内の一方向外向きとなる所定の向きとは異なる向きで前記本体部に挿入される場合に所定の組込み位置まで挿入不可とし、
前記筐体の横置き時に、前記筐体に組み込まれる全ての前記蓄電池モジュールについて、前記蓄電池本体の前記端子台が上側に位置する所定の向きで前記本体部に挿入される場合に所定の組込み位置まで挿入可能とし、前記蓄電池本体の前記端子台が上側に位置する所定の向きとは異なる向きで前記本体部に挿入される場合に所定の組込み位置まで挿入不可とする
ことを特徴とする請求項１記載の蓄電池装置。
【請求項５】
前記蓄電池本体と接続される制御ユニットを具備し、
前記誤組防止構造は、前記蓄電池モジュールが所定の向きで前記本体部に挿入される場合に前記制御ユニットに接続可能とし、前記蓄電池モジュールが所定の向きとは異なる向きで前記本体部に挿入される場合に前記制御ユニットに接続不可とする
ことを特徴とする請求項１記載の蓄電池装置。
【請求項６】
前記制御ユニットは、前記筐体の底部に配設されている
ことを特徴とする請求項５記載の蓄電池装置。
【請求項７】
前記誤組防止構造は、前記蓄電池モジュールが所定の向きで前記本体部に挿入された場合に前記蓄電池モジュールを前記本体部に固定可能とし、前記蓄電池モジュールが所定の向きとは異なる向きで前記本体部に挿入された場合に前記蓄電池モジュールを前記本体部に固定不可とする
ことを特徴とする請求項１記載の蓄電池装置。
【請求項８】
前記誤組防止構造は、前記蓄電池モジュールが所定の向きで前記筐体に挿入される場合に所定の組込み音を発生し、前記蓄電池モジュールが所定の向きとは異なる向きで前記筐体に挿入される場合に前記組込み音を発生不可とする
ことを特徴とする請求項１または７記載の蓄電池装置。
【発明の詳細な説明】
【技術分野】
【０００１】
本発明の実施形態は、複数の蓄電池モジュールを筐体に組み込んだ蓄電池装置に関する。
【背景技術】
【０００２】
従来、例えば太陽光発電モジュールなどを備える発電システムや商用電力を供給する系統電源などと接続される蓄電システムがある。この蓄電システムは、太陽光発電システムの発電電力を蓄電したり、系統電源の料金が安い夜間などの時間帯に電力を蓄電したりして、必要時に蓄電した電力を負荷に供給するように構成されている。
【０００３】
このような蓄電システムで蓄電に用いられる蓄電池装置は、設置するための筐体、およびこの筐体内に組み込まれる複数の蓄電池モジュールを備えた構成となっている。
【０００４】
蓄電池モジュールは単体でも例えば１０ｋｇ程度があり、複数の蓄電池モジュールを筐体に組み込んだ状態では製品質量が大きく、運搬や設置の作業の負担が大きい。
【０００５】
そのため、複数の蓄電池モジュールと筐体とを分離した単体の状態で運搬し、設置場所において、複数の蓄電池モジュールを筐体に組み込んで一体化することが好ましい。しかし、蓄電池モジュールが接続のための端子台の位置によって向きを有する場合、蓄電池モジュールが所定の向きとは異なる向きで筐体に組み込まれる虞がある。
【先行技術文献】
【特許文献】
【０００６】
【特許文献１】特開２０１６−２０７２５７号公報
【発明の概要】
【発明が解決しようとする課題】
【０００７】
本発明が解決しようとする課題は、蓄電池モジュールが所定の向きとは異なる向きで筐体に組み込まれるのを防止できる蓄電池装置を提供することである。
【課題を解決するための手段】
【０００８】
実施形態の蓄電池装置は、複数の蓄電池モジュール、筐体および誤組防止構造を備える。蓄電池モジュールは、蓄電池本体、および蓄電池本体の上面の一側にずれた位置に設けられた端子台を備え、端子台の位置に応じた向きを有する。筐体は、開口部が設けられた本体部を有し、開口部から本体部内に蓄電池モジュールが所定の向きで挿入されて組み込まれる。誤組防止構造は、蓄電池モジュールが所定の向きとは異なる向きで筐体に組み込まれるのを防止する。
【発明の効果】
【０００９】
本発明によれば、蓄電池モジュールが所定の向きとは異なる向きで筐体に組み込まれるのを防止することが期待できる。
【図面の簡単な説明】
【００１０】
【図１】第１の実施形態を示す蓄電池装置の内部の平面図である。
【図２】同上蓄電池装置の蓄電池モジュールの平面図である。
【図３】同上蓄電池装置の分解斜視図である。
【図４】同上蓄電池装置の斜視図である。
【図５】第２の実施形態を示す蓄電池装置の蓄電池モジュールの斜視図である。
【図６】同上蓄電池装置の内部を示す蓄電池モジュールの正組状態の斜視図である。
【図７】同上蓄電池装置の内部を示す蓄電池モジュールの誤組状態の斜視図である。
【図８】第３の実施形態であり、蓄電池装置の内部を示す蓄電池モジュールの正組状態の断面図である。
【図９】同上蓄電池装置の内部を示す蓄電池モジュールの誤組状態の断面図である。
【図１０】第４の実施形態であり、蓄電池装置の内部を示す蓄電池モジュールの正組状態の断面図である。
【図１１】同上蓄電池装置の内部を示す蓄電池モジュールの誤組状態の断面図である。
【図１２】第５の実施形態であり、蓄電池装置の内部を示す縦置き時の斜視図である。
【図１３】同上蓄電池装置の縦置き時の平面図である。
【図１４】同上蓄電池装置の内部を示す横置き時の斜視図である。
【図１５】同上蓄電池装置の横置き時の正面図である。
【図１６】第６の実施形態であり、蓄電池装置の一部を示す正組状態の斜視図である。
【図１７】同上蓄電池装置の一部を示す誤組状態の斜視図である。
【図１８】第７の実施形態であり、蓄電池装置の内部を示す正組状態の斜視図である。
【図１９】同上蓄電池装置の内部を示す誤組状態の斜視図である。
【図２０】第８の実施形態であり、蓄電池装置の内部を示す正組状態の斜視図である。
【図２１】同上蓄電池装置の内部を示す誤組状態の斜視図である。
【発明を実施するための形態】
【００１１】
以下、第１の実施形態を、図１ないし図４を参照して説明する。
【００１２】
図４に蓄電池装置10を示す。この蓄電池装置10は、例えば住宅などに設置される蓄電システムに用いられる。蓄電池装置10は、例えば太陽光発電モジュールなどを備える発電システムなどから電力や商用電力を供給する系統電源によって蓄電し、夜間などの時間帯や系統電源の停電時などの必要時に蓄電した電力を負荷へと供給するように構成されている。
【００１３】
図３に示すように、蓄電池装置10は、蓄電池モジュール11、この蓄電池モジュール11の充放電などを制御する制御ユニット12、およびこれら蓄電池モジュール11および制御ユニット12を収納する筐体13を備えている。蓄電池装置10は、蓄電池モジュール11が筐体13に対して上下方向に着脱可能とする縦置きで設置される。蓄電池モジュール11は、単数でも複数でもよい。本実施形態では、６つの蓄電池モジュール11が用いられ（図面には一部の蓄電池モジュール11の図示を省略している）、これら蓄電池モジュール11が筐体13内の平面視の一方向である短手方向（以下、筐体13の平面視の短手方向に対応する蓄電池装置10の各構成の方向を奥行方向という）に２列、筐体13内の平面視の一方向に直交する他方向である長手方向（以下、筐体13の平面視の長手方向に対応する蓄電池装置10の各構成の方向を幅方向という）に各列３つずつ収納される。制御ユニット12は、複数の蓄電池モジュール11の上側に配置される。
【００１４】
そして、図１ないし図３に示すように、蓄電池モジュール11は、蓄電池本体20、この蓄電池本体20の電圧や温度などの状態を監視する監視ユニット（ＣＭＵ）21、蓄電池本体20の上側端面である上面に設けられた端子台22、および蓄電池本体20を持ち運ぶための取手23などを備えている。
【００１５】
蓄電池本体20は、ケース25、およびこのケース25内に収容された図示しない蓄電池を備えている。ケース25は、上下方向に長い直方体形状に形成されているとともに、平面視の奥行方向の寸法が幅方向の寸法よりも短い長方形状に形成されている。蓄電池は、例えばリチウムイオン電池などの充放電可能な二次電池が用いられている。
【００１６】
監視ユニット21は、蓄電池本体20の奥行方向一側に配設され、蓄電池本体20の蓄電池に電気的に接続されている。監視ユニット21は、端子台22を通じて制御ユニット12に電気的に接続され、蓄電池モジュール11と制御ユニット12との間で情報の送受信や電源の充放電を中継する。
【００１７】
端子台22は、蓄電池本体20の上面で奥行方向の一側にずれた位置、つまり監視ユニット21の上側位置に設けられている。端子台22には、制御ユニット12と接続するための電源線が接続される電源端子26、および通信線が接続される通信端子（通信コネクタ）27などが設けられている。
【００１８】
取手23は、把持部28、およびこの把持部28の両端に設けられた連結部29を有する断面略コ字形に形成されている。把持部28は蓄電池本体20の上側に配置され、両連結部29は蓄電池本体20の両側部に上下方向にスライド可能に連結されている。取手23は、蓄電池本体20の奥行方向中央に位置している。そして、取手23を上方に移動させた位置が蓄電池モジュール11を持ち運び可能とする使用位置となり、取手23を下方に移動させた位置が蓄電池本体20上に重ねられた格納位置となる。
【００１９】
取手23の両連結部29には、外側方に向けて固定部30が突設されている。固定部30は、蓄電池モジュール11を筐体13に収納した際に筐体13側の固定部材上に配置され、図示しないねじで筐体13側の固定部材に固定される。固定部30には、ねじが挿通する固定孔31が設けられている。固定部30の固定孔31は、蓄電池本体20の奥行方向中央の中心線ａ上ではなく、その中心線ａよりも奥行方向一側にずれた位置、つまり端子台22側の片寄った位置に設けられている。
【００２０】
このように構成されている蓄電池モジュール11は、蓄電池本体20の上面で奥行方向の一側にずれた位置に端子台22が設けられているため、端子台22の位置に応じた向き（方向性）を有している。蓄電池モジュール11を筐体13に組み込む際には、端子台22が筐体13内の奥行方向外向きとなる向きを所定の向きとしている。この蓄電池モジュール11の所定の向きでは、端子台22と蓄電池モジュール11の上側に配置される制御ユニット12との配線作業を容易にすることができる。
【００２１】
そして、蓄電池装置10は、蓄電池モジュール11が所定の向きとは異なる向きで筐体13に組み込まれるのを防止するための誤組防止構造33を備えている。
【００２２】
誤組防止構造33は、蓄電池モジュール11側と筐体13側とにそれぞれ設けられている。蓄電池モジュール11側の誤組防止構造33は、取手23の固定部30に設けられる固定孔31が、蓄電池本体20の上端面の奥行方向中央の中心線ａ上ではなく、その中心線ａよりも奥行方向一側にずれた位置、つまり端子台22側の片寄った位置に設けられているものである。
【００２３】
また、図３に示すように、制御ユニット12は、電源管理装置（Battery Management Unit）と呼ばれるもので、各蓄電池モジュール11の充放電電流を監視したり、各蓄電池モジュール11の例えば電圧や温度などを監視し、異常検出時に蓄電池モジュール11を保護し、また、外部のコントローラなどの外部機器と通信し、蓄電池モジュール11の情報を外部機器に通知するものである。
【００２４】
制御ユニット12は、ケース35を備えている。ケース35の両側面には、各蓄電池モジュール11の電源端子26と電源線によって接続される複数の電源コネクタ36が設けられている。ケース35の一側面には、１つの蓄電池モジュール11の通信端子27と通信線で接続される通信コネクタが設けられている。なお、１つの蓄電池モジュール11からは各蓄電池モジュール11に対して通信線で直列に順次接続される。また、制御ユニット12の一端には、外部機器からの電源線や信号線が接続される外部接続端子台が設けられている。また、制御ユニット12は、取付部材37によって筐体13に取り付けられ、複数の蓄電池モジュール11の上側に配置される。
【００２５】
また、図１および図３に示すように、筐体13は、内枠としての枠体40と、この枠体40を覆う外枠としてのカバー体41とを備えた二重構造となっている。
【００２６】
枠体40は、底板43、両側の側板44、および両端の端板45を備え、上面側が開口された枠状に設けられている。枠体40の両端上部には、運搬用の取手46が設けられている。
【００２７】
枠体40の内部には、各蓄電池モジュール11を上方から着脱可能に収納する複数の収納部47が形成されている。これら収納部47は、筐体13内の一方向である奥行方向に２列で、筐体13の幅方向に各列３つずつ並ぶとともにそれぞれが区画されている。
【００２８】
枠体40の底板43には、奥行方向２列の収納部47間を区画する下側の仕切部材48が設けられている。枠体40の両端板45の上部間には、奥行方向２列の収納部47間を区画する上側の仕切部材49が設けられている。枠体40の両側板44の上部間には、幅方向の３つの収納部47間を区画する上側の仕切部材50が設けられている。さらに、各仕切部材50の下側には、幅方向の３つの収納部47間を区画する仕切板51が設けられている。
【００２９】
各収納部47に各蓄電池モジュール11が挿入されることにより、各蓄電池モジュール11の取手23の固定部30が枠体40の固定部材52上に配置される。固定部材52は、枠体40の両端板45の上側部材、および各仕切部材50で構成されている。ねじが固定部30の固定孔31を通じて固定部材52に設けられた取付孔53に螺着されることにより、固定部30が固定部材52に固定される。固定部材52の取付孔53は、収納部47の奥行方向中央の中心線ａ（収納部47の奥行方向中央の中心線は、収納部47に収納される蓄電池モジュール11の奥行方向中央の中心線ａと一致するため、中心線ａと記す）上の位置ではなく、その中心線ａよりも収納部47の奥行方向外側にずれた位置にある。
【００３０】
そして、収納部47には、端子台22が筐体13の奥行方向外向となる所定の向きで蓄電池モジュール11（図１の左側２つの蓄電池モジュール11）を挿入できるとともに、端子台22が筐体13の奥行方向内向きとなる逆向きでも蓄電池モジュール11（図１の最も右側の蓄電池モジュール11）を挿入可能となっている。
【００３１】
そのため、蓄電池装置10は、蓄電池モジュール11が所定の向きとは異なる向きで筐体13に組み込まれるのを防止するための誤組防止構造33を備えている。
【００３２】
誤組防止構造33は、蓄電池モジュール11側と筐体13側とにそれぞれ設けられている。筐体13側の誤組防止構造33は、固定部材52に設けられる取付孔53が、収納部47の奥行方向中央の中心線ａ上にではなく、その中心線ａよりも奥行方向外側にずれた位置に設けられているものである。
【００３３】
筐体13のカバー体41は、枠体40の底面を覆う底面カバー55、枠体40の両側を覆う側面カバー56、枠体40の両端を覆う端面カバー57、および枠体40の上面を覆う上面カバー58を備えている。これらカバー55〜58は、枠体40の全体を覆い、それぞれの接合部分が液密に組み合わされた防水構造が採られている。底面カバー55には、蓄電池装置10を縦置きで所定の場所に設置するためのスタンド59が取り付けられている。
【００３４】
そして、筐体13は、枠体40とカバー体41の各カバー55〜58とが一体的に組み立てられた本体部60を備えている。本体部60の上面には蓄電池モジュール11が着脱可能とする開口部61が設けられており、この本体部60の上面側に上面カバー58が着脱可能に取り付けられる。
【００３５】
そして、第１の実施形態の蓄電池装置10の設置について説明する。
【００３６】
分離状態にある筐体13および複数の蓄電池モジュール11を個別に設置場所に持ち運び、筐体13の本体部60を設置するとともに、各蓄電池モジュール11を本体部60の各収納部47に上方から挿入して収納する。このように、分離状態にある筐体13および各蓄電池モジュール11を個別に設置場所に持ち運んで設置することができるため、蓄電池モジュール11の質量が大きくても、設置を行う作業者の負担を軽減することができる。
【００３７】
蓄電池モジュール11を本体部60の収納部47に挿入する際には、図１の左側２つの蓄電池モジュール11のように、端子台22が本体部60の奥行方向外向きとなる所定の向きで、蓄電池モジュール11を本体部60の収納部47に挿入する。このように、蓄電池モジュール11を所定の向きで本体部60の収納部47に挿入した場合、取手23の固定部30の固定孔31が筐体13の固定部材52の取付孔53と一致し、ねじを固定部30の固定孔31を通じて固定部材52の取付孔53に螺着することにより、蓄電池モジュール11を筐体13側に固定することができる。
【００３８】
一方、例えば、本体部60の収納部47に蓄電池モジュール11が１つも収納されていない状態から、１つ目の蓄電池モジュール11を挿入する際などに、蓄電池モジュール11の端子台22が本体部60の奥行方向内向きとなる逆向きで挿入されることがある。そして、図１の最も右側の蓄電池モジュール11のように、端子台22が本体部60の奥行方向内向きとなる逆向きで、蓄電池モジュール11を本体部60の収納部47に挿入した場合には、取手23の固定部30の固定孔31が筐体13の固定部材52の取付孔53と一致せず、ねじによって蓄電池モジュール11を筐体13側に固定することができない。そのため、作業者は、蓄電池モジュール11の向きが逆向きであることに把握し、蓄電池モジュール11の向きを所定の向きとして挿入し直すことができる。
【００３９】
そして、本体部60に所定数の蓄電池モジュール11を収納したら、本体部60の上側に制御ユニット12を取り付け、各蓄電池モジュール11と制御ユニット12とを接続する。このとき、各蓄電池モジュール11の端子台22が本体部60の奥行方向外向きに位置しているため、各蓄電池モジュール11の端子台22と制御ユニット12の両側面の電源端子26や通信端子27との間の電源線や信号線の配線や、各蓄電池モジュール11間での信号線の配線などの配線作業を容易に行うことができる。また、制御ユニット12と外部機器との間の配線作業を行う。
【００４０】
配線作業が完了したら、本体部60の上面に上面カバー58を取り付けることにより、蓄電池装置10の設置を完了する。
【００４１】
このように、第１の実施形態の蓄電池装置10によれば、誤組防止構造33を備えることにより、蓄電池モジュール11が所定の向きとは異なる向きで筐体13に組み込まれるのを防止することができる。
【００４２】
すなわち、誤組防止構造33は、蓄電池モジュール11が所定の向きで本体部60に挿入された場合に蓄電池モジュール11を本体部60に固定可能とし、蓄電池モジュール11が所定の向きとは異なる向きで本体部60に挿入された場合に蓄電池モジュール11を本体部60に固定不可とすることにより、蓄電池モジュール11が所定の向きとは異なる向きで筐体13に組み込まれるのを防止することができる。
【００４３】
さらに、誤組防止構造33は、蓄電池モジュール11の取手23に設けた固定部30を筐体13側の固定部材52にねじ止めする固定構造を兼用することにより、簡単な構成で誤組防止を図ることができる。つまり、蓄電池モジュール11が所定の向きで本体部60に挿入された場合に、固定部30の固定孔31が筐体13側の固定部材52の取付孔53と一致してねじ止め可能とし、一方、蓄電池モジュール11が所定の向きとは異なる向きで本体部60に挿入された場合に、固定部30の固定孔31が筐体13側の固定部材52の取付孔53と一致せず、ねじ止め不可とすることにより、簡単な構成で誤組防止を図ることができる。
【００４４】
次に、第２の実施形態を、図５ないし図７を参照して説明する。
【００４５】
図５に示すように、蓄電池モジュール11は、蓄電池本体20の下面から突出する規制突部65を備えている。規制突部65は、板状で、先端側が蓄電池本体20の奥行方向一側（端子台22側）へ向けて折曲された断面略Ｌ字形に設けられている。規制突部65は、蓄電池本体20の下面の奥行方向一側にずれた位置（蓄電池本体20の奥行方向中央の中心線ａ上ではなく、その中心線ａよりも奥行方向一側にずれた位置）、つまり蓄電池本体20の端子台22側に片寄った位置から突設されている。
【００４６】
図６および図７に示すように、筐体13の枠体40の底板43には、所定の向きで各収納部47に挿入される蓄電池モジュール11の規制突部65が進入する溝部66が設けられている。溝部66は、収納部47の奥行方向中央の中心線上の位置ではなく、その中心線よりも収納部47の奥行方向外側にずれた位置に設けられている。
【００４７】
そして、誤組防止構造33は、蓄電池モジュール11の規制突部65と、筐体13の溝部66を有する底板43となどで構成されている。誤組防止構造33は、蓄電池モジュール11が所定の向きで本体部60に挿入される場合に所定の組込み位置まで挿入可能とし、蓄電池モジュール11が所定の向きとは異なる向きで本体部60に挿入される場合に所定の組込み位置まで挿入不可とする。
【００４８】
図６には、蓄電池モジュール11が所定の向きで本体部60に挿入された場合を示す。蓄電池モジュール11の規制突部65が底板43の溝部66の位置と一致することにより、規制突部65が底板43の溝部66に進入し、蓄電池モジュール11の底面が底板43の上面に当接する所定の組込み位置まで挿入される。
【００４９】
図７には、蓄電池モジュール11が所定の向きとは逆向きで本体部60に挿入される場合を示す。蓄電池モジュール11の規制突部65が底板43の溝部66の位置と一致せず、規制突部65が底板43の上面に当接して止まることにより、蓄電池モジュール11が所定の組込み位置まで挿入されず、蓄電池モジュール11の底面と底板43の上面との間に隙間が生じ、蓄電池モジュール11の上端部の位置が高くなる。そのため、作業者は、所定の向きで挿入されている他の蓄電池モジュール11との高さの差で逆向きであることを把握したり、蓄電池モジュール11の上方に制御ユニット12を配置するのが難しくなることで逆向きであることを把握し、蓄電池モジュール11の向きを所定の向きとして挿入し直すことができる。
【００５０】
そして、第２の実施形態の誤組防止構造33では、蓄電池モジュール11が所定の向きで本体部60に挿入される場合に所定の組込み位置まで挿入可能とし、蓄電池モジュール11が所定の向きとは異なる向きで本体部60に挿入される場合に所定の組込み位置まで挿入不可とすることにより、蓄電池モジュール11が所定の向きとは異なる向きで筐体13に組み込まれるのを防止することができる。
【００５１】
しかも、蓄電池モジュール11の上端部の高さ位置から、蓄電池モジュール11が所定の向きとは異なる向きで本体部60に挿入されていることを容易に把握することができる。
【００５２】
さらに、蓄電池モジュール11の下面に規制突部65を突設し、筐体13の底板43に溝部66を設けることにより、簡単な構成で誤組防止を図ることができる。
【００５３】
なお、規制突部65は底板43から上方に突出するように設け、溝部66は蓄電池モジュール11側に設けても、同様の誤組防止を図ることができる。
【００５４】
次に、第３の実施形態を、図８および図９を参照して説明する。
【００５５】
蓄電池モジュール11は、蓄電池本体20の底面に固定されたホルダ69を備えている。ホルダ69には、蓄電池本体20の奥行方向他側（端子台22とは反対側）に突出する突出部70が設けられる。突出部70は、ホルダ69から上方に折曲され、蓄電池本体20の側面から離れた位置に突出されている。
【００５６】
筐体13は、奥行方向に並ぶ収納部47間の仕切部材48の一部に設けられたラッチ部71を備えている。ラッチ部71は、奥行方向に弾性変形可能とするばね性を有し、上端には収納部47内へ向けて略く字状に屈曲する屈曲部72が設けられる。
【００５７】
そして、誤組防止構造33は、蓄電池モジュール11の突出部70と、筐体13のラッチ部71となどで構成されている。誤組防止構造33は、蓄電池モジュール11が所定の向きで筐体13に挿入される場合に所定の組込み音を発生し、蓄電池モジュール11が所定の向きとは異なる向きで筐体13に挿入される場合に組込み音を発生不可とする。
【００５８】
図８には、蓄電池モジュール11が所定の向きで本体部60に挿入された場合を示す。蓄電池モジュール11を本体部60に挿入する際、蓄電池モジュール11の突出部70がラッチ部71の屈曲部72に当接し、ラッチ部71を蓄電池本体20から離れるように外側に弾性変形させ、そして、突出部70が屈曲部72の位置を通過すると、ラッチ部71のばね性によって、屈曲部72が蓄電池本体20に勢いよく当たって衝撃音である組込み音が発生し、あるいはラッチ部71の屈曲部72よりも下側部分が突出部70に勢いよく当たって衝撃音である組込み音が発生する。そのため、作業者は、組込み音の発生から、蓄電池モジュール11が所定の向きで筐体13に組み込まれたことを容易に把握できる。
【００５９】
図９には、蓄電池モジュール11が所定の向きとは逆向きで本体部60に挿入される場合を示す。蓄電池モジュール11を本体部60に挿入する際、蓄電池モジュール11の突出部70がラッチ部71に当接せず、衝撃音が発生しない。そのため、作業者は、組込み音が発生しないことから、蓄電池モジュール11が所定の向きとは異なる向きで筐体13に組み込まれたことを容易に把握できる。
【００６０】
そして、第３の実施形態の誤組防止構造33では、蓄電池モジュール11が所定の向きで筐体13に挿入される場合に所定の組込み音を発生し、蓄電池モジュール11が所定の向きとは異なる向きで筐体13に挿入される場合に組込み音を発生不可とすることにより、蓄電池モジュール11が所定の向きとは異なる向きで筐体13に組み込まれるのを防止することができる。
【００６１】
さらに、蓄電池モジュール11に突出部70を設け、本体部60にラッチ部71を設けることにより、簡単な構成で誤組防止を図ることができる。
【００６２】
なお、突出部70は本体部60側に設け、ラッチ部71は蓄電池モジュール11側に設けても、同様の誤組防止を図ることができる。
【００６３】
次に、第４の実施形態を、図１０および図１１を参照して説明する。
【００６４】
上述した第３の実施形態の構成に加えて、蓄電池モジュール11の突出部70の先端に係止部73が設けられる。
【００６５】
そして、誤組防止構造33は、蓄電池モジュール11の係止部73を有する突出部70と、筐体13のラッチ部71となどで構成されている。誤組防止構造33は、蓄電池モジュール11が所定の向きで本体部60に挿入された場合に蓄電池モジュール11を本体部60に固定し、蓄電池モジュール11が所定の向きとは異なる向きで本体部60に挿入された場合に蓄電池モジュール11を本体部60に固定不可とする。
【００６６】
図１０には、蓄電池モジュール11が所定の向きで本体部60に挿入された場合を示す。蓄電池モジュール11を本体部60に挿入する際、蓄電池モジュール11の突出部70がラッチ部71の屈曲部72に当接し、ラッチ部71を弾性変形させ、そして、突出部70が屈曲部72の位置を通過すると、ラッチ部71のばね性によって、屈曲部72が突出部70の係止部73に係合し、蓄電池モジュール11を本体部60に固定する。そのため、作業者が、挿入確認のために蓄電池モジュール11を少し持ち上げた際、係止部73がラッチ部71から外れるまで抵抗感が生じることから、蓄電池モジュール11が所定の向きで筐体13に組み込まれたことを容易に把握できる。なお、この場合にも、ラッチ部71が突出部70に係合する際に衝撃音である組込み音が発生するため、蓄電池モジュール11が所定の向きで筐体13に組み込まれたことを把握できる。
【００６７】
図１１には、蓄電池モジュール11が所定の向きとは逆向きで本体部60に挿入される場合を示す。蓄電池モジュール11を本体部60に挿入する際、蓄電池モジュール11の突出部70がラッチ部71に当接せず、蓄電池モジュール11が本体部60に固定されない。そのため、作業者が、挿入確認のために蓄電池モジュール11を少し持ち上げた際、抵抗感がなく持ち上がることから、蓄電池モジュール11が所定の向きとは異なる向きで筐体13に組み込まれたことを容易に把握できる。なお、この場合にも、ラッチ部71が突出部70に係合する際に衝撃音である組込み音が発生しないため、蓄電池モジュール11が所定の向きで筐体13に組み込まれたことを把握できる。
【００６８】
そして、第４の実施形態の誤組防止構造33では、蓄電池モジュール11が所定の向きで本体部60に挿入された場合に蓄電池モジュール11を本体部60に固定し、蓄電池モジュール11が所定の向きとは異なる向きで本体部60に挿入された場合に蓄電池モジュール11を本体部60に固定不可とすることにより、蓄電池モジュール11が所定の向きとは異なる向きで筐体13に組み込まれるのを防止することができる。
【００６９】
さらに、蓄電池モジュール11に係止部73を有する突出部70を設け、本体部60にラッチ部71を設けることにより、簡単な構成で誤組防止を図ることができる。
【００７０】
なお、係止部73を有する突出部70は本体部60側に設け、ラッチ部71は蓄電池モジュール11側に設けても、同様の誤組防止を図ることができる。
【００７１】
次に、第５の実施形態を、図１２ないし図１５を参照して説明する。
【００７２】
筐体13は、図１２に示す本体部60の開口部61が上方に向く縦置きと、図１４に示す本体部60の奥行方向の一側面が上方に向いて本体部60の開口部61が横向きとなる横置きとのいずれでも設置可能としている。筐体13は、横置き時において、筐体13の奥行方向の所定の一側面が上面、所定の他側面が下面となる向きで設置される。
【００７３】
蓄電池モジュール11は、上述した第２の実施形態（図５参照）と同じ構造であり、蓄電池本体20の下面から規制突部65が突設されている。規制突部65は、蓄電池本体20の下面の奥行方向一側にずれた位置、つまり蓄電池本体20の端子台22側に片寄った位置から突設されている。
【００７４】
筐体13の各収納部47の底板43には、端子台22が本体部60の奥行方向外向きとなる向きで各収納部47に挿入される蓄電池モジュール11の規制突部65が進入する溝部（第１の溝部）66が設けられている。溝部66は、収納部47の奥行方向中央の中心線上の位置ではなく、その中心線よりも収納部47の奥行方向外側にずれた位置に設けられている。
【００７５】
筐体13の横置き時に下段側に位置する各収納部47の底板43には、端子台22が上側に位置する向きで収納部47に挿入される蓄電池モジュール11の規制突部65が進入する第２の溝部76が設けられている。第２の溝部76は、収納部47の奥行方向中央の中心線上の位置ではなく、その中心線よりも収納部47の奥行方向内側にずれた位置であって、筐体13の横置き時にその中心線よりも収納部47の上側にずれた位置に設けられている。
【００７６】
筐体13の横置き時に下段側に位置する各収納部47の底板43には、溝部66と第２の溝部76との中間に蓋体77が揺動可能に取り付けられている。蓋体77は、平板状で、両端から突出する軸部が底板43に設けられた軸受部78に回動可能に支持されている。軸受部78は、底板43を円弧状に切り起こして形成されている。蓋体77は、溝部66側に倒れた状態で溝部66を閉塞するとともに、第２の溝部76側に倒れた状態で第２の溝部76を閉塞する。
【００７７】
筐体13の横置き時に下段側に位置する収納部47に挿入する蓄電池モジュール11は、端子台22が上側に位置する向きを所定の向きとしている。これは、端子台22が下側に位置していると、端子台22が設置面に近く、端子台22に対する配線作業を行い難くなるため、端子台22が上側に位置していることが好ましいからである。
【００７８】
そして、誤組防止構造33は、蓄電池モジュール11の規制突起65と、筐体13の溝部66および第２の溝部76を有する底板43と、蓋体77となどで構成されている。
【００７９】
誤組防止構造33は、筐体13の縦置き時に、蓄電池本体20の端子台22が本体部60内の奥行方向外向きとなる所定の向きで本体部60に挿入される場合に所定の組込み位置まで挿入可能とし、蓄電池本体20の端子台22が本体部60内の奥行方向外向きとなる所定の向きとは異なる向きで本体部60に挿入される場合に所定の組込み位置まで挿入不可とする。
【００８０】
誤組防止構造33は、筐体13の横置き時に、筐体13に組み込まれる全ての蓄電池モジュール11について、蓄電池本体20の端子台22が上側に位置する所定の向きで本体部60に挿入される場合に所定の組込み位置まで挿入可能とし、蓄電池本体20の端子台22が上側に位置する所定の向きとは異なる向きで本体部60に挿入される場合に所定の組込み位置まで挿入不可とする。
【００８１】
図１２および図１３（平面図）に、筐体13の縦置き状態を示す。筐体13の縦置き時には、蓋体77は第２の溝部76を閉塞する位置に配置されるとともにその位置に自重によって保持されている。
【００８２】
蓄電池モジュール11が所定の向きで、つまり端子台22が本体部60の奥行方向外向きで、収納部47に挿入される場合、蓄電池モジュール11の規制突部65が底板43の溝部66の位置と一致することにより、規制突部65が底板43の溝部66に進入し、蓄電池モジュール11の底面が底板43の上面に当接する所定の組込み位置まで挿入される。
【００８３】
蓄電池モジュール11が所定の向きとは逆向きで、つまり端子台22が本体部60の奥行方向内向きとなる逆向きで、収納部47に挿入される場合、蓄電池モジュール11の規制突部65が底板43の溝部66の位置と一致せず、規制突部65が底板43の上面に当接して止まることにより、蓄電池モジュール11が所定の組込み位置まで挿入されず、蓄電池モジュール11の底面と底板43の上面との間に隙間が生じ、蓄電池モジュール11の上端部の位置が高くなる。そのため、作業者は、所定の向きで挿入されている他の蓄電池モジュール11との高さの差で逆向きであることを把握したり、蓄電池モジュール11の上方に制御ユニット12を配置するのが難しくなることで逆向きであることを把握し、蓄電池モジュール11の向きを所定の向きとして挿入し直すことができる。
【００８４】
図１４および図１５（正面図）に、筐体13の横置き状態を示す。筐体13の本体部60は取手46を使用して縦向き状態で設置場所に運搬されるが、横置きで設置する際に、筐体13の奥行方向の所定の一側面が上面、所定の他側面が下面となる向きで設置される。そして、本体部60を縦向きから横向きに変更した際に、図１４に示すように、蓋体77が自重によって下方に揺動し、上側の第２の溝部76を開口するとともに、下側の溝部66を閉塞する。これにより、横置きで上下に配置される各収納部47の底板43の上部側に各溝部66，76が開口する。
【００８５】
蓄電池モジュール11が所定の向きで、つまり端子台22が上側に位置する所定の向きで、上下段の各収納部47に挿入される場合、蓄電池モジュール11の規制突部65が底板43の各溝部66，76の位置と一致することにより、規制突部65が底板43の各溝部66，76に進入し、蓄電池モジュール11の底面（挿入方向先端面）が底板43の面に当接する所定の組込み位置まで挿入される。
【００８６】
蓄電池モジュール11が所定の向きとは逆向きで、つまり端子台22が下側に位置する逆向きで、上下段の各収納部47に挿入される場合、蓄電池モジュール11の規制突部65が底板43の各溝部66，76の位置と一致せず、規制突部65が底板43または蓋体77の面に当接して止まることにより、蓄電池モジュール11が所定の組込み位置まで挿入されず、蓄電池モジュール11の底面と底板43または蓋体77の面との間に隙間が生じ、蓄電池モジュール11が本体部60の開口部61から突出する。そのため、作業者は、所定の向きで挿入されている他の蓄電池モジュール11との挿入位置の差で逆向きであることを把握したり、蓄電池モジュール11上に制御ユニット12を配置するのが難しくなることで逆向きであることを把握し、蓄電池モジュール11の向きを所定の向きとして挿入し直すことができる。
【００８７】
そして、第３の実施形態の誤組防止構造33では、筐体13の縦置き時に、蓄電池本体20の端子台22が本体部60内の奥行方向外向きとなる所定の向きで本体部60に挿入される場合に所定の組込み位置まで挿入可能とし、蓄電池本体20の端子台22が本体部60内の奥行方向外向きとなる所定の向きとは異なる向きで本体部60に挿入される場合に所定の組込み位置まで挿入不可とすることにより、蓄電池モジュール11が所定の向きとは異なる向きで筐体13に組み込まれるのを防止することができる。
【００８８】
さらに、誤組防止構造33は、筐体13の横置き時に、筐体13に組み込まれる全ての蓄電池モジュール11について、蓄電池本体20の端子台22が上側に位置する所定の向きで本体部60に挿入される場合に所定の組込み位置まで挿入可能とし、蓄電池本体20の端子台22が上側に位置する所定の向きとは異なる向きで本体部60に挿入される場合に所定の組込み位置まで挿入不可とすることにより、蓄電池モジュール11が所定の向きとは異なる向きで筐体13に組み込まれるのを防止することができる。
【００８９】
しかも、横置き時には、本体部60を横向きに変えることにより、蓋体77が自動的に切り換わって、蓄電池モジュール11の挿入可能な向きを切り換えるため、切り換えの手間がかからず、簡単な構成で誤組防止を図ることができる。
【００９０】
なお、蓋体77は、底板43に対して揺動して切り換える構成に限らず、底板43に沿ってスライドして切り換える構成としてもよい。
【００９１】
また、筐体13の横置き時に、筐体13の奥行方向の側面のうち、いずれの側面を上方に向けても設置可能とする場合には、筐体13の奥行方向の収納部47のいずれにも第２の溝部76および蓋体77を設ければ、誤組防止を図ることができる。
【００９２】
次に、第６の実施形態を、図１６および図１７を参照して説明する。
【００９３】
筐体13の本体部60の底部に制御ユニット12が配置され、この制御ユニット12の上側に蓄電池モジュール11が配置される。
【００９４】
蓄電池モジュール11は、蓄電池本体20の下面から突出する規制突部65および蓄電池側コネクタ81を有している。規制突部65は、上述した第２の実施形態（図５参照）と同様の構成であり、蓄電池本体20の下面の奥行方向一側にずれた位置、つまり蓄電池本体20の端子台22側に片寄った位置から突設されている。また、蓄電池側コネクタ81は、制御ユニット12と電気的に接続するものであり、電源接続用、または信号接続用、あるいは電源接続と信号接続の両用のいずれでもよい。蓄電池側コネクタ81は、蓄電池本体20の下面の奥行方向他側にずれた位置、つまり蓄電池本体20の端子台22とは反対側に片寄った位置から突設されている。さらに、蓄電池本体20の下面からの規制突部65の突出量は、蓄電池側コネクタ81の突出量よりも大きくなっている。なお、蓄電池モジュール11は、上端に端子台22を有しているが、蓄電池側コネクタ81が電源接続と信号接続の両用である場合には端子台22は無くてもよく、この場合には、蓄電池側コネクタ81が端子台機能を有することになる。
【００９５】
制御ユニット12には、ケース35の上面の各収納部47に対応した位置に、端子台22が本体部60の奥行方向外向きとなる向きで各収納部47に挿入される蓄電池モジュール11の規制突部65が進入する溝部82が設けられているとともに蓄電池側コネクタ81が挿入される挿入孔83が設けられている。挿入孔83の下方には、挿入孔83から挿入される蓄電池側コネクタ81が接続される制御側コネクタ84が配置されている。制御側コネクタ84は、取付台85によってケース35内に取り付けられている。
【００９６】
そして、誤組防止構造33は、蓄電池モジュール11の規制突部65および蓄電池側コネクタ81と、筐体13の底部に配置される制御ユニット12の溝部82および挿入孔83を有するケース35、および制御側コネクタ84となどで構成されている。誤組防止構造33は、蓄電池モジュール11が所定の向きで本体部60に挿入される場合に制御ユニット12に接続可能とし、蓄電池モジュール11が所定の向きとは異なる向きで本体部60に挿入される場合に制御ユニット12に接続不可とする。
【００９７】
図１６には、蓄電池モジュール11が所定の向きで本体部60に挿入された場合を示す。蓄電池モジュール11の規制突部65および蓄電池側コネクタ81がケース35の溝部82および挿入孔83の位置とそれぞれ一致することにより、規制突部65および蓄電池側コネクタ81がケース35の溝部82および挿入孔83にそれぞれ進入し、蓄電池モジュール11の底面が底板43の上面に当接する所定の組込み位置まで挿入され、その際に蓄電池側コネクタ81が制御側コネクタ84に接続される。
【００９８】
図１７には、蓄電池モジュール11が所定の向きとは逆向きで本体部60に挿入される場合を示す。蓄電池モジュール11の規制突部65および蓄電池側コネクタ81がケース35の溝部82および挿入孔83の位置と一致せず、規制突部65がケース35の上面に当接して止まることにより、蓄電池モジュール11が所定の組込み位置まで挿入されず、蓄電池モジュール11の底面とケース35の上面との間に隙間が生じ、蓄電池モジュール11の上端部の位置が高くなる。そのため、作業者は、所定の向きで挿入されている他の蓄電池モジュール11との高さの差で逆向きであることを把握したり、蓄電池モジュール11の上方に制御ユニット12を配置するのが難しくなることで逆向きであることを把握し、蓄電池モジュール11の向きを所定の向きとして挿入し直すことができる。
【００９９】
また、蓄電池モジュール11が所定の向きとは逆向きで本体部60に挿入された場合、蓄電池側コネクタ81が制御側コネクタ84に接続されないため、電気的にも逆向きであることを把握し、蓄電池モジュール11の向きを所定の向きとして挿入し直すことができる。
【０１００】
そして、第６の実施形態の誤組防止構造33では、蓄電池モジュール11が所定の向きで本体部60に挿入される場合に制御ユニット12に接続可能とし、蓄電池モジュール11が所定の向きとは異なる向きで本体部60に挿入される場合に制御ユニット12に接続不可とすることにより、蓄電池モジュール11が所定の向きとは異なる向きで筐体13に組み込まれるのを防止することができる。
【０１０１】
しかも、蓄電池本体20の下面からの規制突部65の突出量を、蓄電池側コネクタ81の突出量よりも大きくしているため、蓄電池モジュール11が所定の向きとは逆向きで本体部60に挿入される場合でも、蓄電池側コネクタ81がケース35の上面に当接して負荷が加わるのを防ぎ、蓄電池側コネクタ81を保護できる。
【０１０２】
また、制御ユニット12を筐体13の底部に配置しているため、この制御ユニット12と蓄電池モジュール11とのコネクタ接続が可能となり、容易に接続することができる。さらに、蓄電池モジュール11の寿命等による交換時には、制御ユニット12を外さずに蓄電池モジュール11を交換でき、作業性を向上できる。
【０１０３】
なお、蓄電池モジュール11は、規制突部65を有することが好ましいが、少なくとも蓄電池側コネクタ81を備えていればよい。
【０１０４】
次に、第７の実施形態を、図１８および図１９を参照して説明する。
【０１０５】
蓄電池モジュール11には、本体部60への挿入端部側である下端部側から側方に突出する挿入規制部88が設けられている。この挿入規制部88は、例えば蓄電池本体20の下面側に配置される部材の一部を屈曲して蓄電池本体20の一側面の側方に突出させたものであるが、ケース25に設けてもよい。さらに、挿入規制部88は、蓄電池本体20の一側面の少なくとも１箇所に突設されていればよい。
【０１０６】
筐体13の枠体40の側板44には、所定の向きで収納部47に挿入される蓄電池モジュール11の挿入規制部88が進入する進入部89が設けられている。この進入部89は、収納部47内に開口する溝で、収納部47の上下方向全域に亘って形成されている。
【０１０７】
そして、誤組防止構造33は、蓄電池モジュール11の挿入規制部88と、筐体13の進入部89および仕切部材49などとを備えている。誤組防止構造33は、蓄電池モジュール11が所定の向きで本体部60に挿入されるのを可能とし、蓄電池モジュール11が所定の向きとは異なる向きで本体部60に挿入されるのを規制する。
【０１０８】
図１８には、蓄電池モジュール11が所定の向きで本体部60に挿入される場合を示す。蓄電池モジュール11の挿入規制部88が本体部60の進入部89の位置と一致することにより、挿入規制部88が本体部60の進入部89に進入し、蓄電池モジュール11が本体部60に挿入される。
【０１０９】
図１９には、蓄電池モジュール11が所定の向きとは逆向きで本体部60に挿入される場合を示す。蓄電池モジュール11の挿入規制部88が本体部60の進入部89の位置と一致せず、挿入規制部88が仕切部材49の上面に当接して挿入が規制される。そのため、作業者は、蓄電池モジュール11を挿入できないことで逆向きであることを把握し、蓄電池モジュール11の向きを所定の向きとして挿入し直すことができる。
【０１１０】
そして、第７の実施形態の誤組防止構造33では、蓄電池モジュール11が所定の向きで本体部60に挿入されるのを可能とし、蓄電池モジュール11が所定の向きとは異なる向きで本体部60に挿入されるのを規制することにより、蓄電池モジュール11が所定の向きとは異なる向きで筐体13に組み込まれるのを防止することができる。
【０１１１】
しかも、蓄電池モジュール11を本体部60に挿入しようとする際に向きが異なることを把握できるので、組立作業性を向上できる。
【０１１２】
なお、蓄電池モジュール11の蓄電池本体20の外側面形状を方向性が得られる異形状に形成し、この蓄電池本体20の外側面形状に合わせて本体部60の収納部47の内側面形状とすることによっても、誤組防止を図ることができる。
【０１１３】
次に、第８の実施形態を、図２０および図２１を参照して説明する。
【０１１４】
蓄電池モジュール11には、本体部60への挿入端部側である下端部側から側方に突出するガイド部92が設けられている。このガイド部92は、例えば蓄電池本体20の下面側に配置される部材の一部を屈曲して蓄電池本体20の一側面の側方に突出させたものであるが、ケース25に設けてもよい。ガイド部92は、蓄電池本体20の一側面の少なくとも１箇所に突設されていればよいが、本実施形態では蓄電池本体20の一側面の２箇所に突設されている。ガイド部92は、蓄電池本体20の上下方向に沿って設けられていてもよい。
【０１１５】
筐体13の枠体40の側板44には、所定の向きで収納部47に挿入される蓄電池モジュール11のガイド部92が挿入されるとともに挿入をガイドするガイドレール部93が設けられている。このガイドレール部93は、収納部47内に開口するガイド溝94を有し、収納部47の上下方向全域に亘って形成されている。
【０１１６】
そして、誤組防止構造33は、蓄電池モジュール11のガイド部92と、筐体13のガイドレール部93および仕切部材49などとを備えている。誤組防止構造33は、蓄電池モジュール11が所定の向きで本体部60に挿入されるのを可能とし、蓄電池モジュール11が所定の向きとは異なる向きで本体部60に挿入されるのを規制する。
【０１１７】
図２０には、蓄電池モジュール11が所定の向きで本体部60に挿入される場合を示す。蓄電池モジュール11のガイド部92が本体部60のガイドレール部93（ガイド溝94）の位置と一致することにより、ガイド部92がガイドレール部93（ガイド溝94）に挿入されるとともにガイドされながら、蓄電池モジュール11が本体部60に挿入される。
【０１１８】
図２１には、蓄電池モジュール11が所定の向きとは逆向きで本体部60に挿入される場合を示す。蓄電池モジュール11のガイド部92が本体部60のガイドレール部93（ガイド溝94）の位置と一致せず、ガイド部92が仕切部材49の上面に当接して挿入が規制される。そのため、作業者は、蓄電池モジュール11を挿入できないことで逆向きであることを把握し、蓄電池モジュール11の向きを所定の向きとして挿入し直すことができる。
【０１１９】
そして、第８の実施形態の誤組防止構造33では、蓄電池モジュール11が所定の向きで本体部60に挿入されるのを可能とし、蓄電池モジュール11が所定の向きとは異なる向きで本体部60に挿入されるのを規制することにより、蓄電池モジュール11が所定の向きとは異なる向きで筐体13に組み込まれるのを防止することができる。
【０１２０】
しかも、蓄電池モジュール11を本体部60に挿入しようとする際に向きが異なることを把握できるので、組立作業性を向上できる。
【０１２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２２】
10    蓄電池装置
11    蓄電池モジュール
12    制御ユニット
13    筐体
20    蓄電池本体
22    端子台
33    誤組防止構造
60    本体部
61    開口部
【図１】
2019149357.tif 000003
【図２】
2019149357.tif 000004
【図３】
2019149357.tif 000005
【図４】
2019149357.tif 000006
【図５】
2019149357.tif 000007
【図６】
2019149357.tif 000008
【図７】
2019149357.tif 000009
【図８】
2019149357.tif 000010
【図９】
2019149357.tif 000011
【図１０】
2019149357.tif 000012
【図１１】
2019149357.tif 000013
【図１２】
2019149357.tif 000014
【図１３】
2019149357.tif 000015
【図１４】
2019149357.tif 000016
【図１５】
2019149357.tif 000017
【図１６】
2019149357.tif 000018
【図１７】
2019149357.tif 000019
【図１８】
2019149357.tif 000020
【図１９】
2019149357.tif 000021
【図２０】
2019149357.tif 000022
【図２１】
2019149357.tif 000023